(57)【要約】      （修正有）【課題】内容物の大きさによって、更には吸湿性によって開封口の大きさを任意に変更できるピロー袋の開封装置を提供する。【解決手段】袋本体１の裏面３に背張りシール部７を有する袋の開封装置であって、背張りシール部７の端縁に横断カット部１１、１２を形成すると共に、背張りシール部７を袋本体１の裏面３において袋本体１の横端方向に向けて折り曲げながら裏面３にシールし、袋本体１の側端部であって、背張りシール部７が倒された側にポイントシール部６を形成すると共に、ポイントシール部６には前記背張りシール部７に形成した横断カット部１１、１２と対向するようにカット部８、８ａを形成し、袋本体１にはポイントシール部６から横断カット部１１、１２を通って上段１３は長く、下段１４は短く形成した２段の横裂き手段１５を形成する。【選択図】図２
2020147357.tif 000002
【特許請求の範囲】
【請求項１】
ａ．袋本体の裏面に背張りシール部を有する袋の開封装置であって、この前記背張りシール部は、袋の裏面において袋本体の横端方向に向けて折り曲げられていると共に背張りシール部の端縁には横断カット部が形成されている、
ｂ．前記折り曲げられた背張りシール部であって前記横断カット部を含む背張りシール部は袋本体の裏面にシールされている、
ｃ．前記袋本体の側端部であって、前記背張りシール部が倒された側にはポイントシール部が形成されていると共に、このポイントシール部には前記背張りシール部に形成した横断カット部と対向するようにカット部が形成されている、
ｄ．前記袋本体には前記ポイントシール部から前記横断カット部を通って上段は長く、下段は短く形成した２段の横裂き手段が形成されている、
ｅ．ことを特徴とする背張りシール部を有する袋の開封装置。
【請求項２】
請求項１に記載の袋本体の原紙には延伸加工が袋本体の横引き裂き方向と同一方向に向けて形成されていること、を特徴とする背張りシール部を有する袋の開封装置。
【請求項３】
請求項１に記載の袋本体の横裂き手段には、波形の押しくせが形成されていること、を特徴とする背張りシール部を有する袋の開封装置。
【請求項４】
請求項１に記載の袋本体の横断カット部は、背張りシール部の端縁の一部又は全長に沿って形成されていること、を特徴とする背張りシール部を有する袋の開封装置。
【請求項５】
請求項１に記載の袋本体１の横断カット部は、Ｖ又はＩ又はマジックカットであること、を特徴とする背張りシール部を有する袋の開封装置。
【請求項６】
請求項１に記載の袋本体の横裂き手段は、少なくとも背張りシール部を横断したところまでを含むこと、を特徴とする背張りシール部を有する袋の開封装置。
【請求項７】
請求項１に記載の袋本体の横断カット部及び横裂き手段は、袋本体の開口面積数に合わせて１段階〜数段階に形成されていること、を特徴とする背張りシール部を有する袋の開封装置。
【発明の詳細な説明】
【技術分野】
【０００１】
本発明は、背貼りシール部分を袋の裏面に位置させて製袋されたプラスチックフイルム製袋の開封装置に関する。
【背景技術】
【０００２】
プラスチックフイルム製袋（以下「ピロー袋」と称す。）であって、製袋に際して背貼り部分を袋の裏面に位置させた所謂ピロー袋の場合、開封口を横一直線上に引き裂いて開封すると、背貼り部分において引き裂きが止まってしまい、そのまま引き裂いて開封することができない。
【０００３】
この問題を解決する手段として、特開２０００−１４２７２４（公知文献１）により、背シール部のある柔軟な包装体において背シール部を含めて包装体を横裂きカッティングにより容易に開封できるようになし、製袋に使用するフィルム材料を制約なく使用できるようにするために、上部シール部と底部シール部と背シール部とを備えた合成樹脂フィルムを主体とする袋状包装体において、上部シール部の一端部下方に僅かに延設された延設シール部が設けられ、該延設シール部の領域内にその外端部から内方に水平方向に第１の切込部が設けられ、背シール部の領域内にその外端部から内方に水平方向に第２の切込部が設けられ、前記第１、第２の切込部は上部シール部上端より略同じ高さに設けられ、前記第１の切込部の内端部と第２の切込部の外端部が互いに近接位置乃至略重ね合わせられるように構成したものが提案されている。
【０００４】
また、特開２０１４−６９８７９（公知文献２）には、合掌張シール部分を袋の裏面においてその中央に位置させると共に前記合掌張シールの先端縁に沿って易開封手段を設け、かつ前記合掌張シール部分を一方に倒して袋の外面フィルムに全面もしくは、前記易開封手段を間において又は易開封手段部分を含めてその上下を部分的にヒートシールを行い、かつ前記合掌張シールが倒された方向の袋の側端に袋の表と裏を溶着したサイドノッチシール部を形成し、このサイドノッチシール部に前記合掌張シール方向に向けてＶ又はＩノッチ等の切り裂き手段を設けると共に前記合掌張シールの先端縁に沿って設けた易開封手段と袋の側端縁に形成したサイドノッチシール部が位置する袋内にジッパーを挿入し、かつこのジッパーのベーステープ部分を袋の内面にそれぞれヒートシールした構成のジッパー付ピロー包装袋において、前記ジッパーのベーステープを袋内にヒートシールする際に、このヒートシール領域においてジッパーテープの挿入方向に延びる帯状のシール部と未シール部を交互に形成し、未シール部は前記引き裂き手段から合掌張シール部の易開封手段を経由して前記引き裂き手段の反対側の袋の端に到達するカットラインを設けると共に前記ベーステープのシール部と未シール部には、波形の押しぐせを形成したジッパー付ピロー包装袋が提案されている。
【０００５】
また、特許第４３３８１７５号（公知文献３）には、ａ．合掌張りシール部分を袋の裏面においてその中央に位置させると共に前記合掌貼りシールの先端縁に沿って易開封手段を設けたこと、ｂ．前記合掌貼りシールを一方に倒して袋の外面フィルムにヒートシールを行ったこと、ｃ．前記合掌貼りシールが倒された方向の袋の側端にヒートシール部を形成し、このヒートシール部に前記合掌貼りシール方向に向けてＶ又はＩノッチを設けたこと、ｄ．を特徴とする易開封手段を施したピロー包装袋が提案されている。
【０００６】
しかしながら、上記公知文献１〜３のように開封口が横一文字に全開した場合、内容物によっては口が全開とならない方が使い勝手が良い場合がある。
例えば、一個一個が比較的大きいスナック菓子の場合は取り出し易くするために全開の方がよいが、粒が小さい菓子の場合には、開封口を全開にすると、一度に適量よりも多く出てしまい、食べにくかったり、こぼしたりすることがある。
また、内容物によっては、湿気の影響を小さくするためには開封後の開封口の開きは小さいほうが良い場合がある。
【先行技術文献】
【特許文献】
【０００７】
【特許文献１】特開２０００−１４２７２４号公報
【特許文献２】特開２０１４−６９８７９号公報
【特許文献３】特許第４３３８１７５号
【発明の概要】
【発明が解決しようとする課題】
【０００８】
本発明は、このような点に鑑みて提供されるものであって、その目的は、内容物の大きさによって、更には吸湿性によって開封口の大きさを任意に変更できる背貼り部付袋の開封装置を提供することにある。
【課題を解決するための手段】
【０００９】
上記の課題を解決するため、請求項１に記載の発明は、背張りシール部を有する袋の開封装置において、袋本体の裏面に背張りシール部を有する袋の開封装置であって、この前記背張りシール部は、袋の裏面において袋本体の横端方向に向けて折り曲げられていると共に背張りシール部の端縁には横断カット部が形成されている、前記折り曲げられた背張りシール部であって前記横断カット部を含む背張りシール部は袋本体の裏面にシールされている、前記袋本体の側端部であって、前記背張りシール部が倒された側にはポイントシール部が形成されていると共に、このポイントシール部には前記背張りシール部に形成した横断カット部と対向するように開封手段が形成されている、前記袋本体には前記ポイントシール部から前記横断カット部を通って上段は長く、下段は短く形成した２段の横裂き手段が形成されていること、を特徴とするものである。
【００１０】
上記本発明によると、製袋時に背貼り位置を任意にずらすことにより、開封した時の開封口の大きさを設定できる。
【００１１】
また、請求項２に記載の発明は、背張りシール部を有する袋の開封装置において、請求項１に記載の袋本体の原紙には延伸加工が袋本体の横引き裂き方向と同一方向に向けて形成されていること、を特徴とするものである。
【００１２】
また、請求項３に記載の発明は、背張りシール部を有する袋の開封装置において、請求項１に記載の袋本体の横裂き手段には、波形の押しくせが形成されていること、を特徴とするものである。
【００１３】
また、請求項４に記載の発明は、背張りシール部を有する袋の開封装置において、請求項１に記載の袋本体の横断カット部は、背張りシール部の端縁の一部又は全長に沿って形成されていること、を特徴とするものである。
【００１４】
また、請求項５に記載の発明は、背張りシール部を有する袋の開封装置において、請求項１に記載の袋本体１の横断カット部は、Ｖ又はＩ又はマジックカットであること、を特徴とするものである。
【００１５】
また、請求項６に記載の発明は、背張りシール部７を有する袋の開封装置において、請求項１に記載の袋本体の横裂き手段は、少なくとも背張りシール部を横断したところまでを含むこと、を特徴とするものである。
【００１６】
また、請求項７に記載の発明は、背張りシール部を有する袋の開封装置において、請求項１に記載の袋本体の横断カット部及び横裂き手段は、袋本体の開口面積数に合わせて１段階〜数段階に形成されていること、を特徴とするものである。
【発明の効果】
【００１７】
本発明によれば、袋を開封したときに横裂き手段の部分から以降のみが開封され、その他は開口しない。
この結果、横裂き手段により開口の大きさを任意に選択して使い勝手の良いピロー袋を得ることができる。
また、この口の大きさを選択することにより、一旦開封した後の保管時における湿気の影響を最少に設定することが可能となる。
【図面の簡単な説明】
【００１８】
【図１】公知文献３の説明図である。
【図２】本発明の実施例１の説明図である。
【図３】開封口を小さく開いた状態の説明図である。
【図４】開封口を大きく開いた状態の説明図である。
【図５】波型の押しぐせの説明図である。
【図６】ピロー袋の製袋例の説明図である。
【発明を実施するための形態】
【００１９】
以下、図１〜図６に基づいて実施例を詳細に説明する。
【実施例１】
【００２０】
図１は開封をＸ１−Ｘ１で横裂き開封する公知文献３の説明図、図２は本案ピロー袋の裏面を表したものであり、符号の１は背貼り部７を袋１の背面３において図６に示すように背貼り部７を左寄りにずらして製袋されたピロー袋である。
【００２１】
符号の６は袋１の左辺に形成したポイントシール部分であって、このポイントシール部６には上段カット部８と下段カット部８ａが形成されている。
【００２２】
なお、背貼り部７はこのポイントシール部６側に向けて倒してあると共に、背貼り部７は少なくともポイントシール部６と対向する領域において袋の背面３にシールされている。
但し、この背貼り部７のシールは、背面３に対してポイントシール部６と対向する部分を含め全領域をシールしても構わない。
【００２３】
符号の１５は、ポイントシール６と同一レベルにおいて背貼り部７を少しオーバーした部分まで形成した図５に示す波形の押しぐせであり、下段押しぐせ１４の長さは、上段押しぐせ１３に比較して短いため段違いに形成されている。
【００２４】
なお、この段違いは、本実施例においては２段であるが、この段の数は開封口の大きさ（種類）に応じて１段又は複数段形成される。
【００２５】
符号の１１、１２は、背貼り部７の端縁に形成された横断カット部であって、上段横断カット部１１は上段カット部８と、下段横断カット部１２は下段カット部８ａと対向して設けられている。
【００２６】
次に、ピロー袋１の開封例を説明する。
図３に示すように小さな開封口ａを形成する場合には、上段カット部８から引き裂きを開始し、上段横断カット部１１を経由してＸ２−Ｘ２線でカットすると、図４に示すように小さな開封口ａを形成することができる。
一方、大きな開封口ｂを形成する場合には、下段カット部８ａから引き裂きを開始し、下段横断カット部１２を経由してＸ３−Ｘ３線でカットする。
この結果、図３又は図４に示すように、袋１はＸ２−Ｘ２線でカットした場合は小さな口（図３）、Ｘ３−Ｘ３線でカットした場合は大きな口（図４）に開封される。
【００２７】
このように、押しぐせ１３、１４の長さの違いにより、使用者は内容物に応じて最適な開口面積を選択して袋１を開封できる。
【００２８】
図６は製袋方向を示し、符号の３０は厚紙ロール、３１は厚紙、３２は背貼り部である。
【符号の説明】
【００２９】
１  袋
３  背面
４  口シール
５  底シール
６  ポイントシール部
７  背貼り部
８  上段カット部
８ａ  下段カット部
１３  上段押しぐせ（横裂き手段）
１４  下段押しぐせ（横裂き手段）
【図１】
2020147357.tif 000003
【図２】
2020147357.tif 000004
【図３】
2020147357.tif 000005
【図４】
2020147357.tif 000006
【図５】
2020147357.tif 000007
【図６】
2020147357.tif 000008